(57)【要約】【課題】開閉時及び開放時における反収納空間側への折戸の突出寸法を小さくしながらも、収納空間を効率的に使用し得る収納開口開閉構造を提供する。【解決手段】収納空間３を区画する区画壁４に設けられた開口７を、複数枚の戸板１１を折り畳み自在に連結した折戸１０によって開閉する収納開口開閉構造１であって、前記折戸は、各戸板が戸幅方向略中心を回動支点１４として前記開口に配設されたレール２４（２２）に対して回動可能とされるとともに、該回動支点が前記レールに沿って移動自在とされ、かつ、当該折戸が折り畳まれた状態における各戸板の収納空間側の側端部１３が前記区画壁の収納空間側の壁面６よりも反収納空間２側に位置する構造とされている。【選択図】図１
2012154035.tif 000002
【特許請求の範囲】
【請求項１】
収納空間を区画する区画壁に設けられた開口を、複数枚の戸板を折り畳み自在に連結した折戸によって開閉する収納開口開閉構造であって、
前記折戸は、各戸板が戸幅方向略中心を回動支点として前記開口に配設されたレールに対して回動可能とされるとともに、該回動支点が前記レールに沿って移動自在とされ、かつ、当該折戸が折り畳まれた状態における各戸板の収納空間側の側端部が前記区画壁の収納空間側の壁面よりも反収納空間側に位置する構造とされていることを特徴とする収納開口開閉構造。
【請求項２】
請求項１において、
前記折戸は、各戸板が略平行に折り畳まれるように隣り合う戸板同士を連結部材によって連結した構造とされていることを特徴とする収納開口開閉構造。
【請求項３】
請求項１または２において、
前記各戸板の回動支点が前記区画壁の反収納空間側の壁面と壁厚方向において略同位置となるように前記レールを配設していることを特徴とする収納開口開閉構造。
【発明の詳細な説明】
【技術分野】
【０００１】
本発明は、収納空間を区画する区画壁に設けられた開口を、複数枚の戸板を折り畳み自在に連結した折戸によって開閉する収納開口開閉構造に関する。
【背景技術】
【０００２】
従来より、複数枚の戸板を折り畳み自在に連結した折戸が知られている。このような折戸としては、各戸板の幅方向一側端部にランナーやピボット等を設け、戸板同士の他側端部を蝶番等によって折り畳み自在に連結したものが汎用されている。このような折戸では、折り畳んだ際に各戸板の他側端部側（連結側）が、ランナー等を案内するレールに対して直交する方向（前後方向）の一方側に大きく突出するという問題があった。
例えば、下記特許文献１では、３枚以上のパネルの隣り合うパネル同士をヒンジで連結し、各パネルの移動を案内するランナーを各パネルの左右の中心線上に設けた折戸が提案されている。これによれば、折り畳んだ際に、各パネルがレールに対して前後に略均等に突出することとなるため、上記一方側への突出寸法を比較的に小さくすることができるものではあった。
【先行技術文献】
【特許文献】
【０００３】
【特許文献１】特開平１１−２９４００５号公報
【発明の概要】
【発明が解決しようとする課題】
【０００４】
しかしながら、上記特許文献１に記載された折戸をクローゼット等の収納空間の開口を開閉する折戸として採用した場合には、折り畳んだ際に、レールに対して前後に突出することとなるため、つまり、収納空間側にも折戸の各パネルの側端部が突出する。このため、収納空間側に突出する部位が棚や収納物等に干渉しないようにこれら収納物等を配置する必要があり、収納空間を効率的に使用出来ず、更なる改善が望まれていた。
【０００５】
本発明は、上記実情に鑑みなされたものであり、開閉時及び開放時における反収納空間側への折戸の突出寸法を小さくしながらも、収納空間を効率的に使用し得る収納開口開閉構造を提供することを目的としている。
【課題を解決するための手段】
【０００６】
前記目的を達成するために、本発明に係る収納開口開閉構造は、収納空間を区画する区画壁に設けられた開口を、複数枚の戸板を折り畳み自在に連結した折戸によって開閉する収納開口開閉構造であって、前記折戸は、各戸板が戸幅方向略中心を回動支点として前記開口に配設されたレールに対して回動可能とされるとともに、該回動支点が前記レールに沿って移動自在とされ、かつ、当該折戸が折り畳まれた状態における各戸板の収納空間側の側端部が前記区画壁の収納空間側の壁面よりも反収納空間側に位置する構造とされていることを特徴とする。
【０００７】
本発明においては、前記折戸を、各戸板が略平行に折り畳まれるように隣り合う戸板同士を連結部材によって連結した構造としてもよい。
また、本発明においては、前記各戸板の回動支点が前記区画壁の反収納空間側の壁面と壁厚方向において略同位置となるように前記レールを配設するようにしてもよい。
【発明の効果】
【０００８】
本発明に係る収納開口開閉構造は、上述のような構成としたことで、開閉時及び開放時における反収納空間側への折戸の突出寸法を小さくしながらも、収納空間を効率的に使用することができる。
【図面の簡単な説明】
【０００９】
【図１】（ａ）、（ｂ）は、いずれも本発明の一実施形態に係る収納開口開閉構造の一例を模式的に示し、それぞれ図２におけるＸ−Ｘ線矢視に対応させた一部破断概略拡大横断面図である。
【図２】同収納開口開閉構造を模式的に示す概略正面図である。
【図３】（ａ）は、図２におけるＹ−Ｙ線矢視に対応させた一部破断概略拡大縦断面図、（ｂ）は、図１（ｂ）におけるＺ部に対応させた概略拡大平面図である。
【発明を実施するための形態】
【００１０】
以下に本発明の実施の形態について、図面に基づいて説明する。
図１〜図３は、本実施形態に係る収納開口開閉構造について説明するための説明図である。なお、図３（ｂ）では、後記するランナーの図示を省略している。
本実施形態に係る収納開口開閉構造１は、図１及び図２に示すように、住居等の建物内のクローゼット等の収納空間３を区画する区画壁４に設けられた開口７を、複数枚の戸板１１を折り畳み自在に連結した折戸１０によって開閉する構造とされている。
図例では、建物の室内空間（反収納空間）２と収納空間３とを区画する区画壁４に開設された開口７を、二組の折戸１０，１０によって閉鎖または開放する構造としている。また、開口７には、これら折戸１０，１０を建て付ける開口枠２０が設けられている。
【００１１】
開口枠２０は、本実施形態では、図１及び図２に示すように、開口７の天井側に設けられた上枠２１と、開口７の床側に設けられた下枠２３と、開口７の左右に設けられた一対の縦枠２５，２５とを備えている。
上枠２１には、図２及び図３（ａ）に示すように、長手方向に沿って埋め込まれるようにして折戸１０の開閉を案内する案内部としての上レール２２が設けられている。
下枠２３には、図２及び図３（ａ）に示すように、長手方向に沿って埋め込まれるようにして折戸１０の開閉を案内する案内部としての下レール２４が設けられている（図１（ｂ）も参照）。
なお、開口枠２０としては、図例のような固定枠状とされたものに限られず、額縁等を備えたケーシング枠としてもよく、また、四方枠に限られず、下枠を備えない三方枠としてもよい。この場合は、床面上に、または床に埋め込むようにして下レール２４を設けるようにしてもよい。その他、種々の開口枠の採用が可能である。
【００１２】
これら折戸１０，１０は、略同様の構成とされており、それぞれ複数枚（図例では４枚）の戸板１１の隣り合う戸板１１，１１同士を連結部材１８によって、折り畳み自在に連結した構造とされている。
本実施形態では、各折戸１０は、図１（ｂ）及び図３（ｂ）に示すように、各戸板１１が略平行に折り畳まれるように隣り合う戸板１１，１１同士を連結部材１８によって連結した構造とされている。図例では、各折戸１０を、隣り合う戸板１１同士の対向面が近接乃至は当接するように略平行に折り畳まれる構造としている。
【００１３】
連結部材１８は、図２及び図３に示すように、上下で一組とされ、隣り合う戸板１１，１１の戸幅方向の連結側の側端部の上端面及び下端面にそれぞれ架け渡されるようにして配設されたプレート状とされている。これら連結部材１８，１８には、ピンやボルト、ねじ等の各戸板１１の連結側回動支点１７となる止具（回動軸）の挿通孔が開設されており、この止具によって各戸板１１，１１の連結側の側端部の上端面及び下端面に各連結部材１８が取り付けられている。これら連結部材１８によって、各戸板１１が連結側回動支点１７を中心として回動自在に連結され、略平行に折り畳み可能とされている。また、各戸板１１の連結側の側端部は、折戸１０の開閉がなされる際に、互いに干渉や擦れ等が生じないように、戸幅方向外方側に突出し、連結側回動支点１７を略円心とする円弧形状とされている。図例では、各戸板１１の戸幅方向の両側端部１２，１３を、円弧形状とした例を示している。
【００１４】
上記した連結部材１８としては、図例のものに限られず、公知のものが適用可能である。例えば、折り畳まれた際に互いに対向する側の面や連結側端面等に、取付羽根や取付ブロック等を埋め込む凹所を設け、この凹所に埋め込まれるようにして配設される掘り込み蝶番や隠し蝶番等の蝶番を連結部材として採用するようにしてもよい。その他、種々の蝶番等の連結部材の採用が可能であり、この場合は、蝶番等のヒンジピンを連結側回動支点として把握するようにしてもよい。
【００１５】
各戸板１１は、図２に示すように、上下に細長で、略矩形平板状とされており、本実施形態では、比較的に薄い厚さ寸法とされている。この戸板１１の厚さ寸法は、一般的な２５ｍｍ〜３５ｍｍ程度とされた従来の折戸の戸板よりも薄い寸法としてもよく、例えば、１０ｍｍ前後から２０ｍｍ程度としてもよい。
また、各戸板１１は、図１及び図３（ｂ）に示すように、戸幅方向略中心を回動支点１４として開口７に配設された上下のレール２２，２４に対して回動可能とされるとともに、この回動支点１４が上下のレール２２，２４に沿って移動自在とされている。
本実施形態では、各戸板１１の上端部に回動支点１４となるランナー１５を戸板１１に対して回動自在に設け、各戸板１１の下端部に回動支点１４となるピボット１６を設けた例を示している。
【００１６】
ランナー１５は、図３（ａ）に示すように、転動部及びこれに対して回動自在に連結された回動支点１４となる回動軸等を有している。このランナー１５の転動部が上枠２１に設けられた上レール２２に係合するとともに支持されており、この上レール２２の長手方向に沿って走行自在とされている。
ピボット１６は、図３（ａ）に示すように、略円柱形状とされ、下枠２３に設けられた下レール２４に係合し、この下レール２４の長手方向に沿って移動自在とされている。
なお、戸板１１の回動支点１４としては、各レール２２，２４に対して回動可能で、各レール２２，２４に沿って移動自在なものであれば、図例のようなものに限られず、種々のランナー部材やピボット、案内片等の採用が可能である。また、下レール２４及びこれに係合するピボット１６を設けずに、ランナー１５のみを回動支点１４として設ける態様としてもよい。また、図例のような上吊り式に限られず、下荷重式の構造としてもよい。この場合は、戸板１１の上端側にピボットや案内片等を設け、戸板１１の下端側にランナー部材や戸車等を設け、これらに対応したレールを上下に設けるようにしてもよい。
【００１７】
また、本実施形態では、図１（ｂ）及び図３（ｂ）に示すように、各戸板１１の回動支点１４が区画壁４の室内空間側の壁面（室内側壁面）５と壁厚方向において略同位置となるように上下のレール２２，２４を配設している。つまり、上下のレール２２，２４と、開口７の左右の室内側壁面５とが略同垂直面域に位置するようにこれらレール２２，２４を設けている。
また、各折戸１０の開口７の幅方向中心側に配設された戸板１１の一側端部には、把手１９が設けられている。この把手１９を設ける位置や把手１９の形状は、戸板を設ける枚数（奇数枚か偶数枚か）等に応じて適宜、設定可能である。
上記構成とされた折戸１０は、図１及び図３に示すように、把手１９等をして、その開閉（折り畳み及び展開）がなされる。この開閉の際には、各折戸１０の各戸板１１の回動支点１４が各レール２２，２４に対して回動しながら各レール２２，２４に沿って移動するとともに、連結部材１８によって連結された隣り合う戸板１１同士が連結側回動支点１７を中心として回動する。
【００１８】
折戸１０が展開されて、図１（ａ）に示すように、開口７を閉鎖した状態では、折戸１０の各戸板１１が一直線状に並ぶように配置される。図例では、各レール２２，２４上において、戸幅方向を沿わせるようにして一直線状に各戸板１１が配置された例を示している。
一方、折戸１０が折り畳まれて、図１（ｂ）及び図３（ｂ）に示すように、開口７を開放した状態では、折戸１０の各戸板１１が各レール２２，２４の長手方向に直交する方向（壁厚方向）に戸幅方向を沿わせるようにして配置される。上記したように、本実施形態では、各戸板１１の戸幅方向略中心の回動支点１４が各レール２２，２４に沿って移動する構造とされている。従って、折戸１０が折り畳まれた状態では、各戸板１１の戸幅方向の両側端部１２，１３が、各レール２２，２４を挟んで室内空間２側及び収納空間３側に突き出した状態となる。つまり、図３（ｂ）に示すように、各戸板１１の室内空間側端部１２が各レール２２，２４よりも壁厚方向に沿って室内空間２側に突出し、収納空間側端部１３が各レール２２，２４よりも壁厚方向に沿って収納空間３側に突出した状態となる。
【００１９】
これら各戸板１１の室内空間２側への突出寸法は、従来のような戸幅方向の一側端部がレールに沿って案内される折戸と比べて小さくなる一方、収納空間３側への突出寸法はこのような従来の折戸と比べて大きくなる傾向がある。このため、収納空間３を効率的に利用できなくなることも考えられる。
そこで、本実施形態では、図１（ｂ）及び図３（ｂ）に示すように、折戸１０が折り畳まれた状態における各戸板１１の収納空間側端部１３を、区画壁４の収納空間３側の壁面（収納側壁面）６よりも室内空間２側に位置させる構造としている。つまり、折戸１０を折り畳んだ状態における各戸板１１の収納空間側端部１３が、開口７の左右の収納側壁面６を結んだ垂直面域よりも壁厚方向に沿って室内空間２側に位置する構造とされている。
【００２０】
本実施形態では、図３（ｂ）に示すように、上記構造となるように各折戸１０の戸板１１の戸幅寸法Ｗ１を設定している。この戸板１１の戸幅寸法Ｗ１は、上記のように各レール２２，２４によって案内される各戸板１１の戸幅方向略中心に設けられた回動支点１４から収納側壁面６までの壁厚方向に沿う寸法Ｗ２に応じて設定可能である。つまり、戸幅寸法Ｗ１の１／２の寸法が寸法Ｗ２よりも小さくなるように設定すればよい。また、各戸板１１の戸幅寸法Ｗ１が上記条件を満たすように、開口７の開口幅寸法（左右の縦枠２５，２５の見込み面間の寸法）に応じて、各折戸１０の戸板１１の枚数を適宜の枚数に設定するようにすればよい。
一般的な壁厚寸法は、例えば、７０ｍｍ〜２５０ｍｍ程度とされているが、建物の構造（木造軸組構造や枠組壁構造、鉄骨構造、ＲＣ構造等）の種類や、区画壁４が構造壁（耐力壁）か間仕切壁か等に応じて、ある程度、規格化された寸法である場合が多い。また、開口７の開口幅寸法も同様にある程度、規格化された寸法である場合が多い。このような場合には、これら規格化された壁厚寸法や開口幅寸法に応じて、回動支点１４の壁厚方向に沿う位置（つまりは、開口枠２０に設けられる各レール２２，２４の壁厚方向に沿う位置）、戸板１１の戸幅寸法Ｗ１及び枚数を予め設定することも可能である。この場合は、これらを適宜、設定した折戸１０と開口枠２０とを備えた折戸装置として工場等において予め製造することも可能である。
【００２１】
上記構造とされた本実施形態に係る収納開口開閉構造１によれば、開閉時及び開放時における室内空間２側への折戸１０の突出寸法を小さくしながらも、収納空間３を効率的に使用することができる。
つまり、折戸１０が折り畳まれた状態における各戸板１１の収納空間側端部１３が区画壁４の収納側壁面６よりも室内空間２側に位置する構造としている。従って、折戸１０の開閉時及び開放時に、当該折戸１０が収納空間３に収納された収納物や棚等に干渉することを低減することができ、収納空間３を効率的に使用することができる。
また、折戸１０の各戸板１１を、戸幅方向略中心を回動支点１４として開口７に配設されたレール２２，２４に対して回動可能とするとともに、回動支点１４をレール２２，２４に沿って移動自在としている。従って、折り畳んだ際に、レール２２，２４に対して室内空間２側に突出する寸法を比較的に小さくすることができる。
つまりは、本実施形態に係る収納開口開閉構造１によれば、収納空間３の効率的な使用が可能でありながらも、開閉時及び開放時における室内空間２側への折戸１０の突出寸法を小さくできる。従って、折戸１０をスムーズに開放でき、また、室内空間２の有効スペースを大きくすることも可能となる。
【００２２】
また、本実施形態では、折戸１０を、各戸板１１が略平行に折り畳まれるように戸板１１同士を連結部材１８によって連結した構造としている。従って、開口７の有効幅寸法を効率的に大きくすることができる。
さらに、上記のように、各戸板１１の厚さ寸法を比較的に薄くすれば、開口７の有効幅寸法をより効果的に大きくすることができる。
【００２３】
また、本実施形態では、各戸板１１の回動支点１４が区画壁４の室内側壁面５と壁厚方向において略同位置となるようにレール２２，２４を配設している。従って、収納空間３を効率的に使用可能でありながらも戸板１１の戸幅寸法Ｗ１を比較的に大きくすることができ、戸板１１の必要枚数を比較的に少なくすることができる。なお、レール２２，２４の壁厚方向に沿う配設位置を、室内側壁面５よりも反収納空間側（手前側）とすれば、より戸板１１の枚数を少なくすることも可能ではあるが、開口枠２０や折り畳み状態における折戸１０が室内側壁面５から手前側に比較的に大きく突出する。従って、レール２２，２４の壁厚方向に沿う配設位置は、室内側壁面５と壁厚方向において略同位置か、室内側壁面５よりも収納空間３側に位置するように配設することが好ましい。
【００２４】
なお、上記した例では、開口７に二組の折戸１０，１０を配設した例を示しているが、一組の折戸１０を配設する態様としてもよく、または、三組以上の折戸１０を配設する態様としてもよい。
また、上記した例では、４枚の戸板１１を備えた折戸１０を例示しているが、上記した必要枚数に応じて、適宜の枚数の戸板１１を備えた折戸１０とすればよい。また、戸板１１の枚数を同じ枚数とした二組の折戸１０，１０を例示しているが、異なる枚数の戸板を備えた折戸を採用するようにしてもよい。本実施形態に係る収納開口開閉構造１では、従来のものと比べて、戸板１１の戸幅寸法Ｗ１が比較的に小さくまた戸板１１の枚数が比較的に多くなる傾向がある。従って、二組の折戸１０，１０の戸板１１の枚数を異ならせることで、これら折戸１０，１０の召し合わせ位置を開口７の幅方向に調整でき、これらの召し合わせ位置の自由度を比較的に高めることができる。この結果、各折戸１０，１０の開放開始位置（つまりは、把手１９を有した戸板１１の開口７の幅方向に沿う位置）の自由度を比較的に高めることも可能となる。
【００２５】
さらに、図例では、開口７の天井側を区画壁４の途中までとした例を示しているが、略天井までの高さ寸法とされた開口７としてもよい。この場合は、上レール２２を備えた上枠２１を天井に埋め込むように配設するようにしてもよい。
さらにまた、図例では、開口枠２０の見込み寸法を区画壁４の壁厚寸法よりも小さくし、室内空間２側にのみチリ部を形成するように配設した態様を例示しているが、収納空間３側にもチリ部が形成されるような開口枠を採用するようにしてもよい。この場合は、この開口枠の収納空間側の見付け面を、収納空間側の壁面として把握するようにしてもよい。また、このようなチリ部が形成されない開口枠２０を採用するようにしてもよい。
また、上記した例では、折戸１０の戸板１１が開放状態において、略平行状態となるまで折り畳み可能とされた折戸１０を例示しているが、開放状態において、略平行状態とならない折戸を採用するようにしてもよい。
【符号の説明】
【００２６】
１      収納開口開閉構造
２      室内空間（反収納空間）
３      収納空間
４      区画壁
５      室内側壁面（区画壁の反収納空間側の壁面）
６      収納側壁面（区画壁の収納空間側の壁面）
１０    折戸
１１    戸板
１３    収納空間側端部（折り畳まれた状態における戸板の収納空間側の側端部）
１４    回動支点
１８    連結部材
２２    上レール（レール）
２４    下レール（レール）
【図１】
2012154035.tif 000003
【図２】
2012154035.tif 000004
【図３】
2012154035.tif 000005